(57)【要約】【課題】  居室内の突起物等が削減され、精神疾患患者用として好適な個室病室ユニットを提供する。【解決手段】  居室部２とトイレ部３と前室部４とを備える個室病室ユニットであって、壁部材１から離間した独立支柱５と、独立支柱５に取り付けられており、壁部材１に係止してトイレ部３側から施錠されることによりトイレ部３と居室部２の間を閉鎖可能であると共に、壁部材１に係止して前室部４側から施錠されることによりトイレ部３と前室部４との間を閉鎖可能な第一のドアと、壁部材１に取り付けられており、独立支柱５に係止して前室部４側から施錠されることにより前室部４と居室部２との間を閉鎖可能な第二のドア７とを備えることを特徴とする個室病室ユニット。【選択図】  図１
2006265895.tif 000002
【特許請求の範囲】
【請求項１】
居室部と、居室部に隣接するトイレ部と、居室部およびトイレ部に隣接する前室部とを備える個室病室ユニットであって、
壁部材から離間した独立支柱と、
前記独立支柱に取り付けられており、壁部材に係止して前記トイレ部側から施錠されることにより該トイレ部と居室部の間を閉鎖可能であると共に、壁部材に係止して前記前室部側から施錠されることにより該トイレ部と前室部との間を閉鎖可能な第一のドアと、
壁部材に取り付けられており、前記独立支柱に係止して前記前室部側から施錠されることにより該前室部と居室部との間を閉鎖可能な第二のドアとを備えることを特徴とする個室病室ユニット。
【請求項２】
前記独立支柱の幅が可変である請求項１記載の個室病室ユニット。
【請求項３】
前記第一のドアおよび／または第二のドアがグレモン錠により施錠される請求項１または２記載の個室病室ユニット。
【請求項４】
さらに、トイレ部と前室部との間を仕切る第三のドアを備える請求項１〜３のいずれかに記載の個室病室ユニット。
【請求項５】
居室部と、居室部に隣接するトイレ部と、居室部およびトイレ部に隣接する前室部とを備える個室病室ユニットであって、
壁部材から離間した独立支柱と、
居室部とトイレ部との間に設置されており、トイレ部側から施錠されることにより該トイレ部と居室部との間を閉鎖可能な第一のドアと、
居室部と前室部との間に設置されており、前室部側から施錠されることにより該前室部と居室部との間を閉鎖可能な第二のドアと、
トイレ部と前室部との間に設置されており、前室部側から施錠されることにより該前室部とトイレ部との間を閉鎖可能な第三のドアとを備えることを特徴とする個室病室ユニット。
【発明の詳細な説明】
【技術分野】
【０００１】
本発明は、精神疾患患者の病状に応じて使用範囲区分を変えることができる個室病室ユニットに関する。
【背景技術】
【０００２】
精神疾患患者の病状には様々な状態があり、たとえば個室病室内に隔離し、ベッドに拘束する必要がある状態、何も置かれていない個室病室内に隔離する必要のある状態、トイレの使用に看護者の許可・監視が必要な状態、トイレの自由使用が許容される状態、トイレの自由使用に加えて洗面設備の自由使用が患者に許容される状態、病室の外（例えば老化や庭等）への自由通行が許容される状態等がある。
そのため、精神疾患患者用の個室病室には、その病状によって異なる構造が求められる。しかし、従来の精神疾患患者用の個室病室としては、通常、１０平方メートル程度の広さの部屋にトイレだけが設けられた共通規格のものが用いられており、必要に応じてベッドを持ち込み、それ以外は看護者の監視と看護とで各病状に対応するのが一般的である。
しかし、看護者の監視と看護には限界がある。たとえば、看護者の不在時に、個室病室内に設けられたトイレの便器内の水を飲んで水中毒を起こしたり、トイレを壊したりする問題がある。また、トイレなどの突起物を利用した自傷行為や自殺行為を行う場合があり、患者を別途設けられた隔離室に移動させるなどの処置が必要になる問題もある。
【０００３】
このような問題に対し、たとえば特許文献１には、居室とトイレと前室とを備えた個室病室をユニット化し、それらをドアによって区分可能とすることによって、精神疾患患者の病状に応じて使用範囲区分を変えることができるようにした個室病室ユニットが提案されている。
【特許文献１】特開２００３−１７２０３７号公報
【発明の開示】
【発明が解決しようとする課題】
【０００４】
しかし、かかる個室病室ユニットにおいても、居室内にはドアの取っ手や鍵穴等の突起物があり、このような突起物が患者の注意を引き、自傷行為や自殺行為を行う可能性がある。
本発明は、上記事情に鑑みてなされたものであって、居室内の突起物等が削減され、精神疾患患者用として好適な個室病室ユニットを提供することを目的とする。
【課題を解決するための手段】
【０００５】
上記課題を解決する本発明の第一の態様は、居室部と、居室部に隣接するトイレ部と、居室部およびトイレ部に隣接する前室部とを備える個室病室ユニットであって、
壁部材から離間した独立支柱と、
前記独立支柱に取り付けられており、壁部材に係止して前記トイレ部側から施錠されることにより該トイレ部と居室部の間を閉鎖可能であると共に、壁部材に係止して前記前室部側から施錠されることにより該トイレ部と前室部との間を閉鎖可能な第一のドアと、
壁部材に取り付けられており、前記独立支柱に係止して前記前室部側から施錠されることにより該前室部と居室部との間を閉鎖可能な第二のドアとを備えることを特徴とする個室病室ユニットである。
本発明の個室病室ユニットにおいては、前記独立支柱の幅が可変であることが好ましい。
また、本発明の個室病室ユニットにおいては、前記第一のドアおよび／または第二のドアがグレモン錠により施錠されることが好ましい。
また、本発明の個室病室ユニットにおいては、さらに、トイレ部と前室部との間を仕切る第三のドアを備えることが好ましい。
【０００６】
また、上記課題を解決する本発明の第二の態様は、居室部と、居室部に隣接するトイレ部と、居室部およびトイレ部に隣接する前室部とを備える個室病室ユニットであって、
壁部材から離間した独立支柱と、
居室部とトイレ部との間に設置されており、トイレ部側から施錠されることにより該トイレ部と居室部との間を閉鎖可能な第一のドアと、
居室部と前室部との間に設置されており、前室部側から施錠されることにより該前室部と居室部との間を閉鎖可能な第二のドアと、
トイレ部と前室部との間に設置されており、前室部側から施錠されることにより該前室部とトイレ部との間を閉鎖可能な第三のドアとを備えることを特徴とする個室病室ユニットである。
【発明の効果】
【０００７】
本発明により、居室内の突起物等が少なく、自傷行為や自殺行為を防止でき、精神疾患患者用として好適な個室病室ユニットが提供される。
【発明を実施するための最良の形態】
【０００８】
以下に、本発明の実施の形態を図面を参照して説明する。
＜第一の態様＞
図１は、本発明の第一の態様の第１実施形態の個室病室ユニットを示す平面説明図である。
本実施形態の個室病室ユニットは、居室部２と、居室部２に隣接するトイレ部３と、居室部２およびトイレ部３に隣接する前室部４とを備えており、個室病室ユニットの周囲全体および各部の間の一部には壁部材１が設置されている。
個室病室ユニット内の、壁部材１から離間した位置には、独立支柱５が設置されており、該独立支柱５には、第一のドア６が取り付けられている。
また、壁部材１の、居室部２と前室部４との境界部１ａには、第二のドア７が取り付けられている。
さらに、独立支柱５に、第三のドア８が取り付けられており、トイレ部３と居室部４とを仕切ることができるようになっている。
【０００９】
・独立支柱５
独立支柱５は、居室部２、トイレ部３および前室部４の３部の境界の位置に設置される。設置位置は、個室病室ユニットにおける居室部２、トイレ部３および前室部４の配置に応じて適宜変更可能である。
また、独立支柱５の幅、すなわち図１における縦方向の幅Ｗ１および／または横方向の幅Ｗ２が可変であることが好ましい。これにより、多様な幅の個室病室ユニットを製造する場合であっても、ドアの幅を変更しなくてよくなる。そのため、たとえば第一のドアと第二のドアとして金属製のものを採用する場合に、適用する個室病室ユニットの幅が違っていても、第一のドアと第二のドアとを同じ寸法で一括して工場生産することができ、生産効率が向上する。
【００１０】
・第一のドア６
本実施形態の個室病室ユニットにおいては、第一のドア６を、居室部２とトイレ部３との間の一部を仕切っている壁部材１ｂの端部に係止し、施錠することにより、居室部２とトイレ部３との間を閉鎖可能となっている。このとき、第一のドア６の施錠は、トイレ部３側から行うようになっている。
また、第一のドア６を、トイレ部３と前室部４との間の一部を仕切っている壁部材１ｃの端部に係止し、施錠することにより、トイレ部３と前室部４との間を閉鎖可能となっている。このとき、居室部２とトイレ部３との間は開放状態であり、患者が居室部２とトイレ部３との間を自由に通行できるようになっている。このとき、第一のドア６の施錠は、前室部４側から行うようになっている。
このように、第一のドア６をトイレ部３側または前室部４側から施錠するものとすることで、第一のドア６の居室部２側には、ドアノブや施錠機構等を設けずに済み、第一のドア６の居室部２側の突起等を排除できる。
第一のドア６の施錠は、グレモン錠により行われることが好ましい。グレモン錠は、後述するように、グレモンハンドルの回転によりドアを施錠する施錠機構であり、クリーンルーム等の出入口の扉に既に用いられるなど、施錠時の気密性（遮音性）が高い。また、取っ手や鍵穴等をドアに設ける必要がなく、またグレモンハンドルも着脱可能なものを用いることができるため、居室部内の突起をさらに削減できる。
第一のドア６の材質は、特に限定されない。強度等を考慮すると、鋼製であることが好ましい。また、第一のドア６は、内部にゴム板などを貼付した鋼製ドアであると、遮音性が高く好ましい。
【００１１】
・第二のドア７
本実施形態の個室病室ユニットにおいては、第二のドア７を独立支柱５に係止し、施錠することにより、居室部２と前室部４との間を閉鎖可能となっている。このとき、第二のドア６の施錠は、前室部４側から行うことができるようになっている。
また、前室部４においては、壁部材１の、第二のドア７が取り付けられた位置１ａに対して居室部２側とは反対側に、第二のドア７を壁面収納するための凹部１ｄが設けられており、該凹部１ｄ内に第二のドア７を収納し、第二のドア７を壁部材１に係止することにより、居室部２と前室部４との間を開放した状態とすることができるようになっている。
このように、第二のドア７を前室部４側から施錠するものとすることで、第二のドア７の居室部２側には、ドアノブや施錠機構等を設けずに済み、第二のドア７の居室部２側の突起等を排除できる。
第二のドア７の施錠は、上記第一のドア６と同様、グレモン錠により行われることが好ましい。
第二のドア７の材質は、特に限定されず、上記第一のドア６と同様であってよい。
【００１２】
・グレモン錠
第一のドア６および／または第二のドア７の施錠に用いられるグレモン錠としては、特に限定されず、一般的にクリーンルームのドア等に用いられているものと同様のものが使用できる。
具体的には、たとえば、グレモンハンドルを備えたグレモン錠本体を、第一のドア６および／または第二のドア７のドア戸先端内部に設置する。また、第一のドア６および／または第二のドア７の上枠および床に錠杆が係合する凹状の施錠部を設けておく。グレモン錠本体には、グレモンハンドルの回動と一体的に回動するようになっている錠杆が内臓されており、グレモンハンドルを回動させることにより、錠杆の一部がグレモン錠本体およびドア上下端部の外に進出し、第一のドア６および／または第二のドア７の上枠および床に設けられた施錠部に係合し、施錠されるようになっている。開錠は、グレモンハンドルを、施錠時とは逆方向に回動させることにより行うことができる。
グレモンハンドルは、必ずグレモン錠本体と着脱可能なものであることが必要で、その場合、グレモンハンドルが装着される部分をプレートにより閉鎖すると、トイレ部３内の突起物をさらに削減できる。
【００１３】
・第三のドア８
第三のドア８は、トイレ部３と前室部４との間を仕切るものである。第三のドア８により、たとえば第一のドア６がトイレ部３と居室部２の間の閉鎖に用いられている場合でも、トイレ部３内が前室部４側から見えない状態となり、また前室部４への臭気洩れ等による不快感を少なくすることができるなど、患者のアメニティが向上する。
第三のドア８は、特に施錠する必要はなく、施錠可能であってもなくてもよい。
第三のドア８の材質は、特に限定されず、たとえば木製等であってもよい。
なお、本実施形態においては、第三のドア８は独立支柱５に取り付けられているが、本発明はこれに限定されず、たとえば第三のドアが壁部材１ｃに取り付けられていてもよい。
【００１４】
・居室部２
居住室２内にはベッド９が作り付けられており、壁部材１には、該ベッド９を収納するための凹部１ｅが設けられている。ベッド９は、患者の病状や必要に合せて設置したり収納することができる。
ベッド９は、凹部１ｅ内に収納時には、後述する図３に示すように、該凹部１ｅの両側の壁部材１ｆ、１ｇとともに、平坦な同一面を形成するようになっている。
ベッド９は、患者を拘束可能とする拘束具が取り付け可能であることが好ましい。
また、ベッド９は、所定の範囲で上下方向に高さ調節が可能であることが好ましい。かかるベッドとしては、根部が上下方向に移動可能なスライド部に枢支され、該スライド部が壁部材１や居室部２の床面などにしっかりと設置されている平行ガイドの間を所定高さの範囲で上下方向に移動するようになっているもの等がある。ベッド９の高さは電動又は手動操作により調整できることが好ましい。また、ベッド９は、背上げ操作が電動又は手動操作により可能となっていることが好ましい。
居室部２内壁は、できる限り突起物が少ない構造であることが好ましく、たとえば照明としては、埋め込み式照明器具等が好適である。
【００１５】
・トイレ部３
トイレ部３には、便器１０が設けられている。便器１０は、洗浄水が溜まらないようになされた特殊構造であることが、水中毒患者対策として好ましい。また、便器１０は、ステンレス等の金属製であることが、患者により壊されることがなくなるため好ましい。
トイレ部３内には、ロールペーパー等を設置するために、壁部材１の、床面から所定の高さ位置に、凹部１ｈが設けられている。該凹部１ｈには、ペーパー取り出し口を備えた施錠可能な扉が設けられて、凹部１ｈの開口部の周囲の壁部材とともに平坦な同一面を形成していることが好ましい。これにより、患者がロールペーパー自体をはずすことができなくなる。また、トイレ部３内の突起物も削減される。
トイレ部３を構成する壁部材１の、居室部２側とは反対側の壁を構成する部分には、液晶監視窓が設けられていてもよい。液晶監視窓は、スイッチのオン／オフにより曇りガラス状態または透明な状態とすることができ、これにより、看護者が、必要に応じて液晶監視窓を透明な状態として個室病室ユニットの外側（廊下等）からトイレ部３内、または居室部２内の状況を確認できる。
【００１６】
・前室部４
前室部４を構成する壁部材１の一部には、室外（廊下等）へ通じる出入口となる開口部が設けられており、該開口部には施錠可能な出入口ドア１１が設けられている。
前室部４内には洗面台１２が設けられている。洗面台１２は、患者が水中毒を起こす可能性がある場合は、前記便器１０と同様、水が溜まらない構造としてもよく、蛇口の操作が介護者の監督の元でのみ可能となる等の措置が採られてもよい。
【００１７】
・その他の構成
居室部２、トイレ部３の内壁を構成する壁部材１や床、第一のドア６、第二のドア７の表面は、クッション性のある保護シート、たとえば発泡樹脂シート等で覆われていることが好ましい。該保護シートは、１層の緩衝層からなるものであっても良いし、複数の緩衝層からなるものでも良い。また、緩衝層以外に、他の機能、たとえば強度を向上させる機能を有する層を有していてもよく、また、一つの層がいくつかの機能を兼ね備えていても良い。
壁部材１としては、たとえば特許文献１に記載の個室病室ユニット用パネルを用いることができる。
【００１８】
居室部２の内壁を構成する壁部材１または天井面には、マイクロホンとスピーカを設け、居室部２内ないし個室病室ユニット内の状況を遠隔的に把握することができるようにすることができる。いくつかの個室病室ユニットを纏めて１管理単位とし、ナースステーションなどのモニタ室でスピーカ及び／又は音圧メータにより常時又は必要なときにモニタリングできるようにすることが好ましい。カメラによってモニタリングすることも考えられるが、カメラによってモニタリングすると患者のプライバシーを守ることができず、又、カメラを意識して落ち着かないことがあり、かえって患者の治療の障碍になることもあるので、望ましくない。
【００１９】
個室病室ユニットの壁部材１には、屋外に面した外窓や屋内側の内窓を、２重窓として形成することも有効である。窓は、衝撃に強い針金やフィルム入りの強化ガラスやポリカーボネート板で形成すると良い。窓の上半分程度には上下方向に伸縮可能なロールカーテンを設置することが望ましい。この様に伸縮できるカーテンにより、カーテンを下げて患者を見えなくすることができ、又、患者の状態が良くなればカーテンを上げて屋外が見える様にすることができる。更に２重窓にすることにより内外からの音を低くすることができる。尚、カーテンは左右に開閉するものでもよい。
壁部材１には、適宜、収納テーブルや、開閉式の凹部を設けることもできる。開閉式の凹部には、絵画或いは液晶などの薄形のテレビを設けると良い。病状の良い患者の場合にはそれらを取り出し、収納時には、壁部材１と略同一面となるようにロック固定する。
また、壁部材１の、ベッドが収納される凹部１ｅには、酸素ガス等のガス供給弁、吸引用の減圧弁等の通常の病室に備えられる治療用の各種の弁等を、開閉式の扉付きで設置することもできる。
【００２０】
次に、本実施形態の個室病室ユニットの、患者の病状の状態に応じた使用方法を図２〜６により説明する。なお、以下に記載する図面において、図２に示した構成要素に対応する構成要素には、同一の符号を付してその詳細な説明を省略する。
図２〜６はそれぞれ、図１に示した個室病室ユニットにおいて、患者の病状を重度から軽度への５つに大別した場合の１番目〜５番目のそれぞれの場合に最適な病室構成を示す区分説明図である。
【００２１】
まず、図２により、最も重度である病状の場合について説明する。この病状は、自殺を企図することが危惧され、自傷行為や暴力行為、器物破損などが著しい状態であり、この状態の場合には患者を拘束する必要がある。
この場合、第一のドア６は壁部材１ｂに係止させて施錠され、第二のドア７は独立支柱５に係止させて施錠され、居室部２とトイレ部３および前室部４との間の区画壁としての役割を果たすようになっている。さらに出入口ドア１１も施錠される。第一のドア６は、トイレ使用時のみ看護者によりトイレ部３側から開錠される。
居室部２内にはベッド９が展開されており、該ベッド９には拘束具が取り付けられる。拘束具をベッド９に取り付けることにより、拘束などの対応を直ちに行うことができる。
【００２２】
次に、図３により、２番目に重度である病状の場合について説明する。この病状は、器物破損などの暴力行為はあるが、拘束を必要とせず、歩く方がストレスを解消できる状態である。
この場合、居室部２内では、歩く場所を確保するためにベッド９が凹部１ｅ内に収納されている。第一のドア６、第二のドア７、出入口ドア１１については図２と同様である。第一のドア６は、トイレ使用時のみ看護者によりトイレ部３側から開錠される。
【００２３】
以上二つの状態では、基本的に居室部２内のみが、患者にとっての行動許容空間となる。
【００２４】
次に、図４により、３番目に重度である病状の場合について説明する。この病状は、器物破損のおそれはないが、興奮したり、他の患者への迷惑行為がある状態である。
この場合、居室部２内では、ベッド９は展開されている。また、第一のドア６は壁部材１ｃに係止、施錠され、トイレ部３と前室部４との間の区画壁としての役割を果たすようになっている。
このとき、居室部２とトイレ部３のみが、患者にとっての行動許容空間となる。
トイレ部３においては、患者が水中毒を起こす恐れがある場合は、便器１０を前述の特殊構造の便器とすることが好ましい。また、患者が操作できないようにトイレの水を止めることができる。
【００２５】
次に、図５により、４番目に重度である病状の場合について説明する。この病状は、他の患者との対人関係によるトラブルが続く状態である。
この場合、第一のドア６は壁部材１ｂに係止させて施錠され、第二のドア７は壁部材１に係止させて施錠され、居室部２と前室部３との間は開放されている。出入口ドア１１は施錠されており、患者の出入を禁止している。第三のドア８は施錠されておらず、患者は、居室部２、トイレ部３および前室部４を自由に使用できるようになっている。トイレ部３への出入は前室部４から第３のドア８を通って行われるため、居室部２への臭気洩れなどの不快感を少なくすることができ、患者のアメニティが向上している。
【００２６】
最後に、図６により、最も軽度である病状の場合について説明する。この病状は、特に隔離を必要としない状態である。
この場合、図５と同様、患者は、居室部２、トイレ部３および前室部４を自由に使用できるようになっている。また、出入口ドア１１も施錠されず、廊下や庭などの室外への出入りが自由である。
【００２７】
次に、本発明の第一の態様の個室病室ユニットにおける第２実施形態を図７により説明する。本実施形態は、第三のドア８が設けられていない点において上記第１の実施形態と異なっている。この場合、個室病室ユニットを上記第１の実施形態よりも簡単な構成とすることができる。
【００２８】
＜第二の態様＞
次に、本発明の第二の態様について説明する。本態様の個室病室ユニットは、居室部と、居室部に隣接するトイレ部と、居室部およびトイレ部に隣接する前室部とを備える個室病室ユニットであって、壁部材から離間した独立支柱と、居室部とトイレ部との間に設置されており、トイレ部側から施錠されることにより該トイレ部と居室部との間を閉鎖可能な第一のドアと、居室部と前室部との間に設置されており、前室部側から施錠されることにより該前室部と居室部との間を閉鎖可能な第二のドアと、トイレ部と前室部との間に設置されており、前室部側から施錠されることにより該前室部とトイレ部との間を閉鎖可能な第三のドアとを備えることを特徴とする。
すなわち、本態様の個室病室ユニットは、第一のドア、第二のドア、第三のドアを必須とするものである。ただし、本態様においては、第一のドアは独立支柱に取り付けられていなくてもよく、たとえば壁部材に取り付けられていてもよい。また、第一のドアは壁部材に取り付けられていなくてもよく、たとえば独立支柱に取り付けられていてもよい。
【００２９】
本態様の個室病室ユニットの第１実施形態としては、上記第一の態様の個室病室ユニットの第１実施形態と同様のものが例示できる。
【００３０】
図８に、本態様の個室病室ユニットにおける第２実施形態を示す。本実施形態は、第一のドア６が、独立支柱５ではなく壁部材１ｂに取り付けられている点において上記第１の実施形態と異なっている。
本実施形態においては、第一のドア６を独立支柱５に係止し、施錠することにより、居室部２とトイレ部３との間を閉鎖できる。
この場合でも、第一のドア６はトイレ部３側から施錠されるため、第一のドア６の居室部２側には、ドアノブや施錠機構等を設けずに済み、第一のドア６の居室部２側の突起等を排除できる。
【００３１】
上述したように、本発明により、居室内に突起等が少なく、精神疾患患者用として好適な個室病室ユニットが提供される。すなわち、本発明の個室病室ユニットにおいては、２枚または３枚のドアを独立支柱および／または壁部材に係止させ、該ドアを施錠したり開錠することによって、個室ユニット内の居室部、トイレ部および前室部の間を任意の位置で閉鎖または開放して個室ユニット内の構成を変更できる。そのため、隔離等の行動制限を要する場合や、水中毒、器物破損などの危険性を排除する必要がある場合、患者の快適性を高めた治療を行う場合など、精神疾患患者の病状やその改善状態に応じて、それぞれの場合に最適な病室構成とすることができる。また、居室部と、トイレ部および前室部との間を閉鎖する場合に、その施錠をトイレ部および前室部側から行うことができるため、ドアの居室部側には取っ手等の突起物が不要となる。そのため、たとえば精神疾患患者が自傷行為や自殺行為を行う可能性がある場合等において、それらの行為の防止効果が高い。
【００３２】
本発明の個室病室ユニットは、病院等の建物の躯体に取り付けて用いることができる。
本発明の個室病室ユニットを作り込む建物の躯体は、新設する躯体でもよいし、既存の病棟を改造して転用することもできる。
既存病棟を改造して転用する場合、元の病室のスペースが本発明の個室病室ユニットを作り込むスペースに適合する場合には元の病室単位でもよいし、元の１病室の広さが本発明の個室病室ユニットを作りつけるに足りない場合等では、いくつかの元の病室を連続して、元の病室の内装を剥離して取り外して本発明の個室病室ユニットを作りつけるのに適合する広さに区画替えして用いると良い。
【図面の簡単な説明】
【００３３】
【図１】本発明の第一の態様の個室病室ユニットの第１実施形態を示す平面説明図である。
【図２】１番目の病状の患者に対しての個室病室ユニット内の区分説明図である。
【図３】２番目の病状の患者に対しての個室病室ユニット内の区分説明図である。
【図４】３番目の病状の患者に対しての個室病室ユニット内の区分説明図である。
【図５】４番目の病状の患者に対しての個室病室ユニット内の区分説明図である。
【図６】５番目の病状の患者に対しての個室病室ユニット内の区分説明図である。
【図７】本発明の第一の態様の個室病室ユニットの第２実施形態を示す平面説明図である。
【図８】本発明の第二の態様の個室病室ユニットの第２実施形態を示す平面説明図である。
【符号の説明】
【００３４】
１…壁部材、２…居室部、３…トイレ部、４…前室部、５…独立支柱、６…第一のドア、７…第二のドア、８…第三のドア、９…ベッド、１０…便器、１１…出入口ドア、１２…洗面台
【図１】
2006265895.tif 000003
【図２】
2006265895.tif 000004
【図３】
2006265895.tif 000005
【図４】
2006265895.tif 000006
【図５】
2006265895.tif 000007
【図６】
2006265895.tif 000008
【図７】
2006265895.tif 000009
【図８】
2006265895.tif 000010